(57)【特許請求の範囲】
【請求項１】
一端を回動軸線にして開閉するフードを備え、そのフード上にはシートおよびアームレストが備えられている産業車両であって、
前記アームレストは、前記フードまたはシートに対して単一の回動軸線回りに回動可能に取り付けられ、第１の位置と、第２の位置との間で変位される構成とし、
前記フードが閉じられた状態では、前記アームレストを第１の位置にロックし、前記フードが開放されるとき、その開放途中で前記アームレストのロックを解除するロック機構を備えており、該ロック機構によるロックが解除されたときに、前記アームレストが自重で第２の位置へ変位される構成とした
ことを特徴とする産業車両。
【請求項２】
請求項１に記載の産業車両であって、前記アームレストは、前後方向と上下方向にそれぞれ位置調整可能に構成されていることを特徴とする産業車両。
【請求項３】
請求項１又は２に記載の産業車両であって、前記アームレストには、荷役用アクチュエータを操作するための荷役用操作部材が配設されていることを特徴とする産業車両。
【請求項４】
請求項３に記載の産業車両であって、前記アームレストは、前記荷役用操作部材を囲うガードを有していることを特徴とする産業車両。
【発明の詳細な説明】
【０００１】
【発明の属する技術分野】
この発明は、フォークリフトのような産業車両に係り、詳しくは一端を回動軸線にして開閉するフードが備えられ、しかもフード上にはシートおよびアームレストが備えられた産業車両に関する。
【０００２】
【従来の技術】
乗員の疲労軽減を図り、快適な作業環境を提供するために、シートの側方（多くは右側）にアームレストを備えたフォークリフトが提案されている。フォークリフトでは、乗員用のシートおよびアームレストは、バッテリあるいはエンジンを覆うフード上に配置されている。また、フードはバッテリあるいはエンジンのサービス作業を行うために、後端部を回動軸線として後方へ開放できるように構成されている。このようなことから、フードを開放するために後方へ回動させたときに、アームレストがフードの前端面よりも前方へ突き出た態様で設けられていると、アームレストが乗員保護用のヘッドガードに対して干渉する可能性がある。したがって、アームレストは、ヘッドガードとの干渉を避けるためにフードに対して取付位置を変えることができる構成とすることが好ましい。
なお、車両用のシートにアームレストを位置調整ができるように取り付けたものが知られており、このような位置調整を可能とした取付構造は、例えば米国特許第５９４１６０３号公報に記載されている。上記公報に記載のアームレストは、平行リンク機構を介して取り付けられ、前側上方位置と後側下方位置との間を平行を保持しつつ変位できるようになっている。
【０００３】
【発明が解決しようとする課題】
上記公報に記載されたリンク機構を用いたアームレストの取付構造の場合、構造が複雑である上に、大きい変位量を取り難い。そのため、リンク機構を使用した取付構造は、産業車両のフードに対するアームレストの取付構造としては必ずしも好適ではない。
【０００４】
本発明は、上述した従来の問題点に鑑みてなされたものであり、その目的とするところは、フード上にシートおよびアームレストが備えられている産業車両において、簡単な構造で、しかもフードの開放時にはアームレストが車両に備えられた他部品に干渉することを回避する上で有効なアームレストの取付技術を提供することにある。
【０００５】
【課題を解決するための手段】
上記課題を達成するため、本発明の産業車両は、請求項１〜４に記載の通りに構成される。なお、これら請求項に係る発明は、一端を回動軸線にして開閉するフードを備え、そのフード上にはシートおよびアームレストが備えられている産業車両において、簡単な構造であり、しかもフードの開放時にはアームレストが車両に備えられた他部品に干渉することを避けることができるようにしたアームレストの取付技術である。
【０００６】
請求項１に記載した産業車両では、アームレストは、フードまたはシートに対して単一の回動軸線回りに傾動可能に取り付けられ、第１の位置と、その第１の位置とは異なる第２の位置との間で変位される構成としている。したがって、アームレストの第１の位置を、例えば乗員の使用に供される位置とした場合において、フードの開放時に、アームレストが第１の位置では他部品に干渉するとき、該アームレストを第１の位置から第２の位置へ変位させることで、他部品に対する干渉を回避することが可能となる。そして、その変位は、単一の軸線回りの回動によって行う構成としたので、簡単な構造で達成することができる。
【０００８】
さらに、請求項１に記載の産業車両では、フードが閉じられた状態では、アームレストを第１の位置にロックし、フードが開放されるとき、その開放途中でアームレストのロックを解除するロック機構を備えており、該ロック機構によるロックが解除されたときに、アームレストが自重で第２の位置へ変位される構成としている。したがって、フードの開放時には、アームレストを第１の位置から第２の位置へ変位できるため、アームレストの変位操作忘れに起因する他部品との干渉を確実に回避することができる。
【０００９】
請求項２に記載の産業車両では、アームレストは、前後方向と上下方向にそれぞれ位置調整可能に構成されていることを特徴としている。したがって、請求項２に記載の発明によれば、乗員はアームレストを自分の体格に応じた最適な位置に調整して使用することができる。
【００１０】
請求項３に記載の産業車両では、アームレストには、荷役用アクチュエータを操作するための荷役用操作部材が配設されていることを特徴としている。したがって、請求項３に記載の発明によれば、乗員は腕をアームレストの上面に載せた楽な姿勢で荷役用操作部材を操作することができる。これにより、乗員の疲労軽減を図ることができる。
【００１１】
この場合、請求項４に記載したように、アームレストは、荷役用操作部材を囲うガードを有していることが好ましい。このようなガードを設けることで、アームレストに腕を乗せた状態で、意図せずに荷役用操作部材に触れて荷役操作を行ってしまうことを防止できるし、二次的にはフードの開放時において、万一アームレストが第２の位置へ変位されていなくても荷役用操作部材が他部品に直接干渉することを防止し、該荷役用操作部材を保護することができる。
【００１２】
【発明の実施の形態】
以下、本発明の実施の形態に係る産業車両を図面に基づいて説明する。なお、説明の都合上、第１の関連技術、第２の関連技術を説明した後で、本発明の一実施形態について説明する。まず、第１の関連技術は、フォークリフトに適用した場合である。ここで、図１は第１の関連技術に係るフォークリフトの運転席周辺を斜め後方から見た概略斜視図、図２はフードが閉じられた通常状態の側面図、図３はアームレストの変位態様を示す側面図である。また、図４は図３のＡ−Ａ線断面図、図５は図３のＢ−Ｂ線断面図、図６は図３のＣ−Ｃ線断面図である。
【００１３】
図１および図２に示すように、フォークリフトの車体１の上部には、バッテリまたはエンジンを覆うフード２が配置されている。フード２の上部には、乗員が座るためのシート３と、腕を乗せるためのアームレスト２０が配置されている。また、車体１には乗員を落下物等から保護するヘッドガード４が配置されている。ヘッドガード４は車体１上に立設される前後４本のピラー４ａおよびピラー４ａで支持されるガード部４ｂから構成されている。フード２はその後端部が車体１の後部に搭載されるカウンターウェイト８にヒンジ５を介して前後方向に回動可能に取り付けられ、ヒンジ５を支点として開閉する。そのときの回動支点が本発明でいうフード２の回動軸線に対応する。
なお、フード２は左右２本または片側一本のショックアブソーバ６によって開閉動作の軽減化が図られている。ショックアブソーバ６は一端がリヤピラー４ａに、他端がフード２の側面にそれぞれピン６ａによって回動可能に連結されている。シート３はフード２の上面にボルト等で固定されている。アームレスト２０はシート３の右側に平行に配置され、フード２の上面に立設された支持部材としてのブラケット７に取り付けられている。
【００１４】
次に、アームレスト２０の構造およびブラケット７に対するアームレスト２０の取付構造を図３〜図６に基づいて説明する。アームレスト２０は腕を乗せるための略水平な平面を有した前後方向に延在するアームレスト本体２１と、そのアームレスト本体２１をブラケット７に取り付けるための縦長のプレートからなる取付部２２とを備えている。
アームレスト本体２１は前後方向に長い平面視で略長方形の箱形に形成されており、その前端部にリフトシリンダやティルトシリンダ等の荷役用アクチュエータを操作するための複数本の荷役用操作部材９が配設されている。荷役用操作部材９は、フォーク昇降操作用のリフトレバーやマスト前後傾操作用のティルトレバー、そして荷役装置に付設されているアタッチメント操作用のアタッチメントレバーであり、それらレバーは横並びに配設されている。また、アームレスト本体２１の前端上面には、各荷役用操作部材９を取り囲むようにガード１１が設けられ、各荷役用操作部材９を障害物の干渉から保護している。
【００１５】
アームレスト２０の取付部２２は、図３に示すように、上下に２分割されたアッパプレート２２ａと、ロアプレート２２ｂとから構成されている。そして、図４に示すように、アッパプレート２２ａはロアプレート２２ｂに重ねた状態で２本の取付ネジ２３とナットプレート２４とによって締着されている。ロアプレート２２ｂには略Ｅ字形の取付溝２２ｃが形成されている。したがって、取付ネジ２３を緩めて取付ネジ２３を取付溝２２ｃに沿って移動させることで、アッパプレート２２ａを上下３段階に位置調整することができる。
【００１６】
また、図５に示すように、アッパプレート２２ａの上端部には前後方向に延在する断面略矩形のスライドガイド２５が固定され、そのスライドガイド２５にアームレスト本体２１が上方から被さるように配置されて前後方向に移動可能に支持されている。スライドガイド２５には前後方向に延在する取付溝２５ａが形成されている。そして、アームレスト本体２１の取付孔からスライドガイド２５の取付溝２５ａに挿通された通しボルト２６にノブ２７を締着することで、スライドガイド２５にアームレスト本体２１を固定する構成となっている。したがって、ノブ２７を緩めた状態では、アームレスト本体２１を前後方向に移動させて位置調整することができる。すなわち、乗員は体格に応じてアームレスト本体２１を最適な位置に調整することができる。
【００１７】
次に、ブラケット７に対するアームレスト２０の取付構造を説明する。図３および図６に示すように、ロアプレート２２ｂの下端部がブラケット７に回動軸２８を介して前後方向に回動可能に取り付けられている。すなわち、アームレスト２０はブラケット７に回動可能に取り付けられ、その回動中心がアームレスト２０の前後方向略中央下部に設定されている。上記の回動中心が本発明でいうアームレスト２０の回動軸線に対応する。なお、図６に示すように、回動軸２８はブラケット７に固着された筒部７ａにブッシュ２９を介して支持され、回動動作の円滑化が図られている。
また、ロアプレート２２ｂにはその回動支点を中心とする円弧状のガイド溝２２ｄが形成されている。ブラケット７にはナットを兼ねるピン部材３０が固着され、このピン部材３０がガイド溝２２ｄ内に挿入されて該ガイド溝２２ｄに沿って相対的に移動可能とされている。そして、このピン部材３０のネジ孔に締着されたハンドル３１ａ付き固定ネジ３１を締付けることによってロアプレート２２ｂがブラケット７に固定されるようになっている。したがって、固定ネジ３１を緩めた状態では、アームレスト２０を前後方向に回動することができ、そのときピン部材３０はガイド溝２２ｄ内を移動する。上記のハンドル３１ａ付き固定ネジ３１がアームレスト２０の固定手段を構成している。
【００１８】
上記のように取り付けられたアームレスト２０は、回動軸２８を回動支点として前後方向に回動することで、フード２に対する取付位置が変位される。前方へ回動したときは、アームレスト本体２１がほぼ水平状態となり、かつその前端部がフード２の前端面よりも前方に突き出るように設定されている。このときの位置が乗員の使用に供される使用位置（図３の実線位置）であり、本発明でいう第１の位置に対応する。そして、アームレスト２０が使用位置にある状態でフード２を開放したときは、アームレスト本体２１の前端部分がヘッドガード４のガード部４ｂに干渉（当接）する。
一方、アームレスト２０を後方へ回動したときは、アームレスト本体２１の前端部がフード２の前端面よりも後方へ引っ込んだ位置となるように設定されている。この位置が退避位置（図３の二点鎖線参照）であり、本発明でいう第２の位置に対応する。なお、アームレスト２０を使用位置へ回動させたときの回動端は、ピン部材３０がガイド溝２２ｄの一端に当接することで規制され、また退避位置へ回動させたときの回動端は、ロアプレート２２ｂに形成された係止部２２ｅがブラケット７に設けたストッパピン７ｂに当接することで規制されるようになっている。
【００１９】
本実施の形態は上記のように構成したものである。したがって、バッテリあるいはエンジンのサービス作業のためにフード２を手動で開放する場合、そのフード２の開放に先立って、ハンドル３１ａ付き固定ネジ３１を緩めてから、アームレスト２０を回動軸２８回りに後方へ回動させて退避位置へ変位すれば（図３の仮想線参照）、アームレスト２０はフード２の回動中心に近づく方向へ移動され、その前端部がフード２の前端面よりも後方へ移動される。この状態ではアームレスト２０の重心の位置が回動軸２８の垂直軸線よりも後側へ移動するように設定してあるので、必ずしもハンドル３１ａ付きの固定ネジ３１を締付けてアームレスト２０を退避位置に固定する必要はない。その後、フード２を後方（上方）へ回動させると、アームレスト２０はヒンジ５回りに回動するフード２の回転軌跡内に入っているため、ヘッドガード４のガード部４ｂに対する干渉が回避される。なお、アームレスト２０の使用位置への復帰は、フード２を閉じた後、上記と逆順に操作することで達成される。
【００２０】
このように、本実施の形態によれば、フード２の開放時において、アームレスト２０を退避位置へ変位することによって、移動軌跡上に障害物として存在するヘッドガード４に対してアームレスト２０が干渉することを回避することができる。その場合、アームレスト２０の変位を、単一の回動軸２８回りの回動動作によって行う構成としたので、例えばリンク機構を用いた取付構造に比べて構造の簡素化を図ることができる。
また、本実施の形態では、アームレスト２０に荷役用操作部材９としてのレバーを設けている。このため、乗員はアームレスト本体２１の上面に腕を乗せた楽な姿勢でそれらのレバーを操作することができ、疲労軽減が図れる。また、荷役用操作部材９はガード１１によって囲まれているため、アームレスト２０に腕を乗せた状態で、意図せずに荷役用操作部材９に触れて荷役操作を行ってしまうことを防止できるし、またフード２の開放時において、万一アームレスト２０の退避位置への変位操作を忘れてフード２を開放したときに、ガード１１がヘッドガード４のガード部４ｂに当接することで、荷役用操作部材９を保護することができる。
【００２１】
次に、本発明の第２の関連技術を図７および図８に基づいて説明する。第２の関連技術は、前述した第１の関連技術に係るアームレスト２０の取付構造において、アームレスト２０がフード２の開閉動作に連動して使用位置と退避位置との間を変位するようにリンク３５を設けたものであり、このリンク３５が本発明でいう連動部材に対応する。なお、その他については第１の関連技術と同様に構成されている。したがって、第１の関連技術と同一の構成部材については同一符号を付してその説明を省略する。
【００２２】
リンク３５はフード２の側面やや上方において前後方向に延在するように配置され、一端がリヤピラー４ａにピン３５ａで回動可能に連結され、他端がアームレスト２０のロアプレート２２ｂにピン３５ｂで回動可能に連結されている。リンク３５のリヤピラー４ａ側の連結点（ピン３５ａ）は、フード２の回動支点であるヒンジ５のやや上方位置に設定され、アームレスト２０側の連結点（ピン３５ｂ）は、該アームレスト２０の回動支点である回動軸２８のやや下方位置に設定されている。
すなわち、リヤピラー４ａとアームレスト２０に対するリンク３５の各連結点は、図８に示すように、両連結点を結ぶ直線Ｏが、フード２の回動支点と、アームレスト２０の回動支点とを結ぶ直線Ｐに対して交差するように設定される。なお、リンク３５は長さ方向の途中に長さを調整することができるターンバックル３６を備えている。このため、リヤピラー４ａあるいはアームレスト２０への組付け時において、製作誤差等による連結位置のバラツキを吸収することができる。
【００２３】
第２の関連技術は上記のように構成したものである。したがって、フード２の開放に先立って、ハンドル３１ａ付きの固定ネジ３１を緩めたのち、フード２を手動で開放すると、図８に示すように、アームレスト２０には上記の如く連結されたリンク３５を介して後方へ回動させる方向に外力が作用する。これにより、アームレスト２０は回動軸２８回りに後方へ回動されて退避位置へ変位される。なお、フード２を閉じれば、アームレスト２０は逆回りに回動され、元の使用位置に復帰する。
このように、第２の関連技術によれば、わざわざアームレスト２０の変位操作を行わずとも、フード２の開閉動作に連動してアームレスト２０を使用位置と退避位置との間で変位させることができる。このため、操作性が向上する。なお、第２の関連技術の場合、ハンドル３１ａ付きの固定ネジ３１については、必ずしも必要とするものではないが、アームレスト２０のガタツキを防止する上で有効である。
【００２４】
次に、本発明の一実施形態を図９〜図１９に基づいて説明する。本実施形態は、アームレスト２０の固定手段として、前述した第１の関連技術におけるハンドル３１ａ付き固定ネジ３１等に代えて、ロック機構４０を用いたものである。この点を除いては、前述した第１の関連技術と同様に構成される。したがって、第１の関連技術と同一の構成部材については同一符号を付してその説明を省略する。
【００２５】
図９に示すように、ロック機構４０はブラケット７に固着されたロックピン４１と、アームレスト２０のロアプレート２２ｂに取り付けられたロック部材４２とによって構成されている。ロック部材４２は、略山形に形成されるとともにその頂点が軸４３によって回動可能に支持されており、その軸４３を挟んで前後両側下部に略Ｖ形のフック部４２ａを備えている。すなわち、ロック部材４２は前後方向の中央部を軸４３によって回動可能に支持されており、軸４３を挟んで前後形状が対称形に形成されている。したがって、自由状態では二点鎖線で示すように前後重量が平衡した水平状態となる。一方、ロックピン４１はロアプレート２２ｂに形成された回動軸２８を中心とする円弧状のガイド溝２２ｄを貫通してロック部材４２側に突出され、ガイド溝２２ｄに沿っての相対移動が許容されている。
【００２６】
アームレスト２０が使用位置にあるとき、ロックピン４１は前側のフック部４２ａに係合してアームレスト２０の後方への回動をロックする。このロック（係合）状態は、ロックピン４１が前側のフック部４２ａを上方から押え込むような態様で行われ、ロック部材４２は後方へ回動された状態となっている。
かかる状態において、フード２を手動で開放操作した場合、ロック部材４２は自重でロックを解除する方向に回動し、それに伴いアームレスト２０も自重で後傾される。以下、フード２の開閉動作に伴うロック機構４０の動作およびアームレスト２０の動作を図１０〜図１９の説明図に基づいて説明する。なお、図中の直線Ｑは、ロック部材４２を前後に二分する中心線であり、ロック状態では、重力の作用方向（下向き）に対して後側に傾斜している。
図１０のロック状態からフード２を開放した場合、ロック部材４２は、ロックピン４１とのロック状態を保持したまま一体的に変位する。この一体的な変位は、図１１〜図１３に示すように、ロック部材４２が水平状態となる方向（直線Ｑの重力方向に対する傾斜角が小さくする方向）への変位である。そして、ロック部材４２が水平状態に到達（直線Ｑが重力方向に一致）した後は、ロック部材４２が水平状態を維持するように軸４３回りに回動する。この回動がロックピン４１からフック部４２ａを外す方向の回動である。
一方、アームレスト２０には自重による回動力が後向きに作用している。このため、アームレスト２０が後方へ回動することに伴いロック部材４２はそのフック部４２ａがロックピン４１の下を通過する方向へ回動する（図１４参照）。すなわち、ロック部材４２のロックが解除され、アームレスト２０が後方へ回動されることになる。この回動はロアプレート２２ｂの係止部２２ｅがストッパピン７ｂに当接することで規制される。かくして、アームレスト２０は退避位置へ変位される（図１５参照）。
その後は、アームレスト２０が退避位置に保持された状態でフード２が開放される。したがって、アームレスト２０はヘッドガード４のガード部４ｂに干渉することなく、移動される。
一方、フード２を手動で閉じるときは、フード２が全閉に至るまでアームレスト２０は自重で退避位置に維持され、ロック部材４２も自重で常に水平状態に維持される（図１６参照）。その後、手動でアームレスト２０に前方への回動力を加えれば、ロック部材４２はフック部４２ａをロックピン４１で押されて回動する（図１７〜図１９参照）。そして、ロックピン４１が通過すると同時にフック部４２ａが復帰してロックピン４１に係合し、初期の状態に戻る（図１０参照）。すなわち、アームレスト２０は使用位置にロックされる。
【００２７】
このように、上記実施形態によれば、フード２の開放時には、特別の操作を行うことなく、アームレスト２０のロックを解除し、該アームレスト２０を退避位置へ変位することができる。このため、アームレスト２０の退避位置への変位操作忘れに起因してアームレスト２０がヘッドガード４のガード部４ｂに干渉することを回避することができる。
【００２８】
なお、本発明は図示の実施形態に限定されるものではなく、その要旨を逸脱しない範囲内で適宜変更することができる。
例えば、図示の実施形態では、アームレスト２０に荷役用操作部材９を設ける構成としたが、アームレスト２０に荷役用操作部材９を設けない構成に変更してもよい。
また、フード２が後方へ開放する構成において、アームレスト２０の移動の障害物となる車両に備えられる他部品としてヘッドガード４の場合で説明したが、障害物はヘッドガードに限られるものではない。例えば、フード２が前方へ開放する構成にすることも可能であって、その場合であれば、アームレストの障害物は、ハンドルやインストルメントパネル等の運転席の前方に位置する部品がその対象となり得る。
また、アームレスト２０はフード２にブラケット７を介して取り付ける構成としたが、シート３にブラケットを介して取り付ける構成に変更してもよい。
【００２９】
また、前記実施形態におけるロック機構４０において、ロック部材４２のロック解除作用が該ロック部材４２の自重を利用して行われる構成としたが、この自重方式に変えて、例えばフード２の開放動作に基づいて作動する電動アクチュエータを用いてロック部材４２のロック解除を行わせる構成としてもよい。あるいはロック部材４２を常にバネによってロック解除方向に付勢する一方、車体１側にはロック補助部材を設け、フード２が閉じたときにロック補助部材がロック部材４２に当接して該ロック部材４２をバネに抗してロック方向へ回動させることでロックピン４１に係合させ、フード２の開放時にはロック補助部材からロック部材４２が離れることに伴いロック解除がバネによって行われる構成とすることも可能である。
また、実施の形態はフォークリフトの場合で説明したが、フォークリフトに限定するものではない。
【００３０】
【発明の効果】
以上詳述したように、本発明によれば、フード上にシートおよびアームレストが備えられている産業車両において、構造が簡単で、しかもフードの開放時にはアームレストが車両に備えられる他部品に干渉することを回避する上で有効なアームレストの取付技術を提供することができる。
【図面の簡単な説明】
【図１】  第１の関連技術に係るフォークリフトの運転席周辺を斜め後方から見た概略斜視図である。
【図２】フードの開閉動作を示す側面図である。
【図３】アームレストの変位態様を示す側面図である。
【図４】図３のＡ−Ａ線断面図である。
【図５】図３のＢ−Ｂ線断面図である。
【図６】図３のＣ−Ｃ線断面図である。
【図７】  第２の関連技術に係るアームレストの取付構造を示す側面図である。
【図８】リンクの動作を示す部分拡大図である。
【図９】  一実施形態に係るアームレストの取付構造を示す側面図である。
【図１０】ロック部材の動作とアームレストの変位態様を示す説明図である。
【図１１】ロック部材の動作とアームレストの変位態様を示す説明図である。
【図１２】ロック部材の動作とアームレストの変位態様を示す説明図である。
【図１３】ロック部材の動作とアームレストの変位態様を示す説明図である。
【図１４】ロック部材の動作とアームレストの変位態様を示す説明図である。
【図１５】ロック部材の動作とアームレストの変位態様を示す説明図である。
【図１６】ロック部材の動作とアームレストの変位態様を示す説明図である。
【図１７】ロック部材の動作とアームレストの変位態様を示す説明図である。
【図１８】ロック部材の動作とアームレストの変位態様を示す説明図である。
【図１９】ロック部材の動作とアームレストの変位態様を示す説明図である。
【符号の説明】
１…車体
２…フード
３…シート
４…ヘッドガード
５…ヒンジ
７…ブラケット
９…荷役用操作部材
１１…ガード
２０…アームレスト
２１…アームレスト本体
２２…取付部
２２ａ…アッパプレート
２２ｂ…ロアプレート
２８…回動軸
４０…ロック機構
４１…ロックピン
４２…ロック部材
【図１】
0004085675.tif 000002
【図２】
0004085675.tif 000003
【図３】
0004085675.tif 000004
【図４】
0004085675.tif 000005
【図５】
0004085675.tif 000006
【図６】
0004085675.tif 000007
【図７】
0004085675.tif 000008
【図８】
0004085675.tif 000009
【図９】
0004085675.tif 000010
【図１０】
0004085675.tif 000011
【図１１】
0004085675.tif 000012
【図１２】
0004085675.tif 000013
【図１３】
0004085675.tif 000014
【図１４】
0004085675.tif 000015
【図１５】
0004085675.tif 000016
【図１６】
0004085675.tif 000017
【図１７】
0004085675.tif 000018
【図１８】
0004085675.tif 000019
【図１９】
0004085675.tif 000020